(57)【特許請求の範囲】
【請求項１】
資産または資産管理用の容器等に固定され，光および音の少なくとも一方を発する報知手段および対アクティブ型ＲＦタグ装置通信手段を備えた作動装置と、前記作動装置に着脱可能に装着され，対作動装置通信手段および対トランシーバＲＦ通信手段を備えたアクティブ型ＲＦタグ装置と、資産を保管する場所に設置され，対アクティブ型ＲＦタグ装置ＲＦ通信手段および対上位装置通信手段を備えた据置型トランシーバ装置と、対据置型トランシーバ装置通信手段およびユーザの指示に応じて前記資産に固定された前記作動装置の前記報知手段から光および音の少なくとも一方を発させるべく前記対据置型トランシーバ装置通信手段を介して前記据置型トランシーバ装置に対して指令を送る発報指令手段を備えた上位装置とを具備したことを特徴とする資産検索システム。
【請求項２】
請求項１に記載の資産検索システムにおいて、前記対アクティブ型ＲＦタグ装置通信手段および前記対作動装置通信手段は赤外線通信手段であり、前記対上位装置通信手段および前記対据置型トランシーバ装置通信手段は有線通信手段であることを特徴とする資産検索システム。
【請求項３】
資産または資産管理用の容器等に固定され，光および音の少なくとも一方を発する報知手段および対アクティブ型ＲＦタグ装置通信手段を備えた作動装置と、前記作動装置に着脱可能に装着され，対作動装置通信手段および対トランシーバＲＦ通信手段を備えたアクティブ型ＲＦタグ装置と、ユーザに携帯され，対アクティブ型ＲＦタグ装置ＲＦ通信手段およびユーザの指示に応じて前記資産に固定された前記作動装置の前記報知手段から光および音の少なくとも一方を発させるべく前記対アクティブ型ＲＦタグ装置ＲＦ通信手段を介して前記アクティブ型ＲＦタグ装置に対して指令を送る発報指令手段を備えた携帯型トランシーバ装置とを具備したことを特徴とする資産検索システム。
【請求項４】
請求項３に記載の資産検索システムにおいて、前記対アクティブ型ＲＦタグ装置通信手段および前記対作動装置通信手段は、赤外線通信手段であることを特徴とする資産検索システム。
【発明の詳細な説明】
【技術分野】
【０００１】
本発明は、資産検索システムに関し、さらに詳しくは、ユーザが資産を探す手間を削減することが出来る資産検索システムに関する。
【背景技術】
【０００２】
従来、電波を発する無線タグを資産に取り付けておき、無線タグからの電波を受信することで資産の存在を確認する存在確認システムが知られている（例えば、特許文献１参照。）。
【特許文献１】特開２００４−９３４２３号公報
【発明の開示】
【発明が解決しようとする課題】
【０００３】
例えば鋼材のような資産は広い倉庫内に無造作に置かれるので、日時が経つとどこに置いたのか判然としなくなる。
このような場合に、上記従来の存在確認システムでは、資産が倉庫内に存在することが判っても、どこに存在しているのかまでは判らないので、広い倉庫内で資産を探すのに手間がかかっていた。
そこで、本発明の目的は、ユーザが資産を探す手間を削減することが出来る資産検索システムを提供することにある。
【課題を解決するための手段】
【０００４】
第１の観点では、本発明は、資産または資産管理用の容器等に固定され，光および音の少なくとも一方を発する報知手段および対アクティブ型ＲＦ（Radio Frequency）タグ装置通信手段を備えた作動装置と、前記作動装置に着脱可能に装着され，対作動装置通信手段および対トランシーバＲＦ通信手段を備えたアクティブ型ＲＦタグ装置と、資産を保管する場所に設置され，対アクティブ型ＲＦタグ装置ＲＦ通信手段および対上位装置通信手段を備えた据置型トランシーバ装置と、対据置型トランシーバ装置通信手段およびユーザの指示に応じて前記資産に固定された前記作動装置の前記報知手段から光および音の少なくとも一方を発させるべく指令を送る発報指令手段を備えた上位装置とを具備したことを特徴とする資産検索システムを提供する。
上記第１の観点による資産検索システムでは次のようにして容易に資産を探し出すことが出来る。
（１）ユーザが上位装置で検索対象の資産を指定すると、上位装置が据置型トランシーバ装置に指令し、据置型トランシーバ装置がアクティブ型ＲＦタグ装置に指令し、アクティブ型ＲＦタグ装置が作動装置に指令し、作動装置が報知手段から光および音の少なくとも一方を発する。これによりユーザは、倉庫内での資産の所在場所を知ることが出来る。
（２）倉庫が多数ある場合、倉庫毎に据置型トランシーバ装置を設置しておくと、検索対象の資産に取り付けたアクティブ型ＲＦタグ装置と通信できた据置型トランシーバ装置を設置した倉庫に資産があると判るので、ユーザはその倉庫へ行けばよい。
（３）会社Ａの倉庫から会社Ｂの倉庫へ資産を移動する場合であって資産と共に作動装置が移動する場合、会社Ａでアクティブ型ＲＦタグ装置を作動装置から取り外せば、該アクティブ型ＲＦタグ装置を会社Ａで再使用できる。そして、資産に固定した作動装置に会社Ｂで会社Ｂのアクティブ型ＲＦタグ装置を取り付ければ、会社Ｂでも同様に資産を管理できる。会社Ａと会社Ｂの資産管理の独立性も担保できる。
一方、会社Ａの倉庫から会社Ｂの倉庫へ資産を移動する場合であって資産と共に作動装置が移動しない場合、取り外したアクティブ型ＲＦタグ装置を資産と共に移動してもよい。この場合、上記と逆に、会社Ａの資産管理と会社Ｂの資産管理を連携させることが出来る。【０００５】
第２の観点では、本発明は、前記第１の観点による資産検索システムにおいて、前記対アクティブ型ＲＦタグ装置通信手段および前記対作動装置通信手段は赤外線通信手段であり、前記対上位装置通信手段および前記対据置型トランシーバ装置通信手段は有線通信手段であることを特徴とする資産検索システムを提供する。
上記第２の観点による資産検索システムでは、作動装置とアクティブ型ＲＦタグ装置の間は赤外線通信であり、アクティブ型ＲＦタグ装置と据置型トランシーバ装置の間は無線通信であり、据置型トランシーバ装置と上位装置の間は有線通信であるため、相互の干渉を気にしないで済む。【０００６】
第３の観点では、本発明は、資産または資産管理用の容器等に固定され，光および音の少なくとも一方を発する報知手段および対アクティブ型ＲＦタグ装置通信手段を備えた作動装置と、前記作動装置に着脱可能に装着され，対作動装置通信手段および対トランシーバＲＦ通信手段を備えたアクティブ型ＲＦタグ装置と、ユーザに携帯され，対アクティブ型ＲＦタグ装置ＲＦ通信手段およびユーザの指示に応じて前記資産に固定された前記作動装置の前記報知手段から光および音の少なくとも一方を発させるべく指令を送る発報指令手段を備えた携帯型トランシーバ装置とを具備したことを特徴とする資産検索システムを提供する。
上記第３の観点による資産検索システムでは次のようにして容易に資産を探し出すことが出来る。
（１）ユーザが携帯型トランシーバ装置で検索対象の資産を指定すると、携帯型トランシーバ装置がアクティブ型ＲＦタグ装置に指令し、アクティブ型ＲＦタグ装置が作動装置に指令し、作動装置が報知手段から光および音の少なくとも一方を発する。これによりユーザは、倉庫内での資産の所在場所を知ることが出来る。
（２）倉庫が多数ある場合、ある倉庫内で検索対象の資産に取り付けたアクティブ型ＲＦタグ装置と通信できなかったなら該倉庫に資産が存在しないと判るので、ユーザは次の倉庫へ行けばよい。資産が存在しない倉庫を探す無駄を回避できる。
（３）会社Ａの倉庫から会社Ｂの倉庫へ資産を移動する場合であって資産と共に作動装置が移動する場合、会社Ａでアクティブ型ＲＦタグ装置を作動装置から取り外せば、該アクティブ型ＲＦタグ装置を会社Ａで再使用できる。そして、資産に固定した作動装置に会社Ｂで会社Ｂのアクティブ型ＲＦタグ装置を取り付ければ、会社Ｂでも同様に資産を管理できる。会社Ａと会社Ｂの資産管理の独立性も担保できる。
一方、会社Ａの倉庫から会社Ｂの倉庫へ資産を移動する場合であって資産と共に作動装置が移動しない場合、取り外したアクティブ型ＲＦタグ装置を資産と共に移動してもよい。この場合、上記と逆に、会社Ａの資産管理と会社Ｂの資産管理を連携させることが出来る。【０００７】
第４の観点では、本発明は、前記第３の観点による資産検索システムにおいて、前記対アクティブ型ＲＦタグ装置通信手段および前記対作動装置通信手段は、赤外線通信手段であることを特徴とする資産検索システムを提供する。
上記第４の観点による資産検索システムでは、作動装置とアクティブ型ＲＦタグ装置の間は赤外線通信であり、アクティブ型ＲＦタグ装置と据置型トランシーバ装置の間は無線通信であるため、相互の干渉を気にしないで済む。
【発明の効果】
【０００８】
本発明の資産検索システムによれば、資産に固定した作動装置が光または音の少なくとも一方を発するので、広い倉庫内でも資産を探すのに手間がかからなくなる。
【発明を実施するための最良の形態】
【０００９】
以下、図に示す実施の形態により本発明をさらに詳細に説明する。なお、これにより本発明が限定されるものではない。
【実施例１】
【００１０】
図１は、実施例１に係る資産検索システム１００を示す構成図である。
この資産検索システム１００は、作動装置１０と、アクティブ型ＲＦタグ装置２０と、据置型トランシーバ装置３０と、上位装置４０とを具備している。【００１１】
作動装置１０は、資産（または資産管理用の容器，パレット，棚等）Ｍに接着等で固定されている。
図２に示すように、作動装置１０は、光および音の少なくとも一方を発する報知回路１１と、ＩＲ（赤外線）通信ＩＦ（インタフェース）回路１２と、ＣＰＵ（処理装置）１３とを具備している。
図３に示すように、作動装置１０は、アクティブ型ＲＦタグ装置２０を取り付けるためのタグ装置装着部１４を有している。そのタグ装置装着部１４には、ＩＲ窓１５が設けられている。ＩＲ窓１５の直下には、ＩＲ送受光ユニット（赤外線発光ダイオードと赤外線フォトトランジスタ）１２ａが設置されている。このＩＲ送受光ユニット１２ａは、ＩＲ通信ＩＦ回路１２の一部である。
可視光発光ダイオードアレイ１１ａおよび電子ブザー１１ｂは、報知回路１１の一部である。
作動装置１０は、リチウム１次電池で動作する。【００１２】
図２に戻り、アクティブ型ＲＦタグ装置２０は、ＩＲ通信ＩＦ回路２１と、ＲＦ送受信回路２２と、ＣＰＵ２３とを具備している。
図４に示すように、アクティブ型ＲＦタグ装置２０の底面には、ＩＲ窓２５が設けられている。ＩＲ窓２１５の直下には、ＩＲ送受光ユニット２１ａが設置されている。このＩＲ送受光ユニット２１ａは、ＩＲ通信ＩＦ回路２１の一部である。
アクティブ型ＲＦタグ装置２０は、リチウム１次電池で動作する。【００１３】
図５に示すように、作動装置１０にアクティブ型ＲＦタグ装置２０を取り付けると、作動装置１０のＩＲ送受光ユニット１２ａとアクティブ型ＲＦタグ装置２０のＩＲ送受光ユニット２１ａとが対向し、両者の間の赤外線通信が可能となる。【００１４】
据置型トランシーバ装置３０は、倉庫毎に設置されている。
図１に戻り、据置型トランシーバ装置３０は、ＲＦ送受信回路３１と、有線通信ＩＦ回路３２と、ＣＰＵ３３とを具備している。
有線通信ＩＦ回路３２は、例えばＬＡＮインタフェース回路である。【００１５】
上位装置４０は、有線通信ＩＦ回路４１と、ユーザＩＦ回路４２と、ＣＰＵ４３とを具備している。
ユーザＩＦ回路４２は、ユーザと対話するための表示装置や入力装置を含んでいる。
上位装置４０は、例えば汎用コンピュータである。【００１６】
全体としては、１台の上位装置４０の下に１台以上の据置型トランシーバ装置３０が位置し、１台の据置型トランシーバ装置３０の下に１台以上のアクティブ型ＲＦタグ装置２０が位置し、１台のアクティブ型ＲＦタグ装置２０の下に１台の作動装置１０が位置する構成となる。【００１７】
資産検索システム１００では、次のようにして資産を探し出す。
（１）ユーザが上位装置４０で、検索対象の資産を指定する。
（２）上位装置４０が１台以上の据置型トランシーバ装置３０に問い合わせて、検索対象の資産に取り付けたアクティブ型ＲＦタグ装置１０と通信できた据置型トランシーバ装置３０を設置した倉庫に行くようにユーザに教える。
（３）ユーザは、教えられた倉庫へ行く。
（４）一方、上位装置４０は、検索対象の資産に取り付けたアクティブ型ＲＦタグ装置１０と通信できた据置型トランシーバ装置３０に指令し、その据置型トランシーバ装置３０が検索対象の資産に取り付けたアクティブ型ＲＦタグ装置２０に指令し、そのアクティブ型ＲＦタグ装置２０が作動装置１０に指令する。
（５）作動装置１０は、可視光発光ダイオードアレイ１１ａから光を発し、電子ブザー１１ｂから音を発する。
（６）ユーザは、光と音から倉庫内での資産の所在場所を知ることが出来る。【００１８】
資産Ｍを会社Ａの倉庫から会社Ｂの倉庫へ移動する場合は次のようにする。
（１）会社Ａで、アクティブ型ＲＦタグ装置２０を作動装置１０から取り外して出荷する。取り外したアクティブ型ＲＦタグ装置２０は、会社Ａで再使用する。
（２）会社Ｂで、資産に固定した作動装置１０に会社Ｂのアクティブ型ＲＦタグ装置２０を取り付ける。会社Ｂでも資産検索システム１００を構築して資産を管理する。会社Ａの資産管理と会社Ｂの資産管理の独立性は担保できる。【００１９】
なお、資産Ｍを載せた棚のように資産Ｍに従って移動しないものに作動装置１０を固定した場合は、アクティブ型ＲＦタグ装置２０を作動装置１０から取り外し、その棚に次に載せる資産に対応するアクティブ型ＲＦタグ装置２０を作動装置１０に装着する。これにより、会社Ａで新たな資産を管理できる。【００２０】
なお、取り外したアクティブ型ＲＦタグ装置２０を資産Ｍと共に移動してもよい。この場合、上記と逆に、会社Ａの資産管理と会社Ｂの資産管理を連携させることが出来る。
【実施例２】
【００２１】
図６は、実施例２に係る資産検索システム２００を示す構成図である。
この資産検索システム２００は、作動装置１０と、アクティブ型ＲＦタグ装置２０と、携帯型トランシーバ装置５０とを具備している。【００２２】
携帯型トランシーバ装置５０は、ＲＦ送受信回路５１と、ユーザＩＦ回路５２と、ＣＰＵ５３と、有線通信ＩＦ回路５４とを具備している。
図７に示すように、携帯型トランシーバ装置５０は、ＬＣＤ５２ａと、入力キー５２ｂとを有している。ＬＣＤ５２ａおよび入力キー５２ｂは、ユーザＩＦ回路５２の一部である。
有線通信ＩＦ回路５４は、例えばＵＳＢインタフェース回路である。【００２３】
資産検索システム２００では、次のようにして資産を探し出す。
（１）ユーザが携帯型トランシーバ装置５０で、検索対象の資産を指定する。
（２）ユーザが倉庫へ行き、携帯型トランシーバ装置５０で検索実行を指示する。
（３）携帯型トランシーバ装置５０は、検索対象の資産に取り付けたアクティブ型ＲＦタグ装置１０と通信できないなら、他の倉庫に行くようにユーザに教える。
（４）ユーザは、教えられた倉庫へ行き、上記（２）から繰り返す。
（５）一方、携帯型トランシーバ装置５０は、検索対象の資産に取り付けたアクティブ型ＲＦタグ装置１０と通信できたなら、そのアクティブ型ＲＦタグ装置２０に指令し、そのアクティブ型ＲＦタグ装置２０が作動装置１０に指令する。
（６）作動装置１０は、可視光発光ダイオードアレイ１１ａから光を発し、電子ブザー１１ｂから音を発する。
（７）ユーザは、光と音から倉庫内での資産の所在場所を知ることが出来る。【００２４】
なお、携帯型トランシーバ装置５０は、有線通信ＩＦ回路５４を介して上位装置に接続し、資産の管理に必要な情報を上位装置からダウンロードする等の通信を行うことが出来る。
【産業上の利用可能性】
【００２５】
本発明の資産検索システムは、特に鋼材などの大型資産の管理に利用できる。
【図面の簡単な説明】
【００２６】
【図１】実施例１に係る資産検索システムを示す構成図である。
【図２】作動装置とアクティブ型ＲＦタグ装置を示す構成図である。
【図３】作動装置の三面図である。
【図４】アクティブ型ＲＦタグ装置の正面図、右側面図および左側面図である。
【図５】作動装置にアクティブ型ＲＦタグ装置を装着した状態を示す正面図および側面図である。
【図６】実施例２に係る資産検索システムを示す構成図である。
【図７】携帯型トランシーバ装置を示す外観図である。
【符号の説明】
【００２７】
１０                    作動装置
２０                    アクティブ型ＲＦタグ装置
３０                    据置型トランシーバ装置
４０                    上位装置
５０                    携帯型トランシーバ装置
１００，２００          資産検索システム
【図１】
0004723635.tif 000002
【図２】
0004723635.tif 000003
【図３】
0004723635.tif 000004
【図４】
0004723635.tif 000005
【図５】
0004723635.tif 000006
【図６】
0004723635.tif 000007
【図７】
0004723635.tif 000008